(57)【要約】【課題】  より効果的な生体刺激性能を備えた布状起電性材料、及び起電性綿材料を提供する。【解決手段】  布地２に、イオン化傾向の大きい物質（例えばアルミニウム）を含む帯状の第１の機能領域３と、イオン化傾向の小さい物質物質（例えばゲルマニウム）を含む帯状の第２の機能領域４とを所定の間隔をあけて平行に設けるとともに、第１及び第２の機能領域３，４の間に、双方を連結するよう遠赤外線放射物質（例えばトルマリン）を含む第３の機能領域５を設ける。人の皮膚に直接若しくは間接的に接したとき、第１及び第２の機能領域３，４との間に生じる電流によって第３の機能領域５に含まれる遠赤外線放射物質を励起し、そこから、第３の機能領域５が単独で存在するとき以上の遠赤外線を放射させる。【選択図】      図１
2006055546.tif 000002
【特許請求の範囲】
【請求項１】
イオン化傾向の大きい物質を含む第１の機能領域と、イオン化傾向の小さい物質を含む第２の機能領域とが、所定の間隔をあけて設けられた布状起電性材料において、
遠赤外線を放射する機能と、電気刺激により励磁される性質とを備えた遠赤外線放射物質を含む第３の機能領域を、前記第１の機能領域と前記第２の機能領域とを連結するよう設けたことを特徴とする布状起電性材料。
【請求項２】
前記第３の機能領域には、前記遠赤外線放射物質としてトルマリンが含まれることを特徴とする請求項１記載の布状起電性材料。
【請求項３】
身体に弱い電圧若しくは電流を生じさせる綿材料からなる起電性綿材料であって、
使用に際して身体に接する側の表面に、イオン化傾向の大きい物質を含む第１の機能領域と、イオン化傾向の小さい物質を含む第２の機能領域とが所定の間隔をあけて設けられ、かつ前記第１の機能領域と前記第２の機能領域とを連結するように、遠赤外線を放射する機能と、電気刺激により励磁される性質とを備えた遠赤外線放射物質を含む第３の機能領域が設けられたことを特徴とする起電性綿材料。
【請求項４】
前記第３の機能領域には、前記遠赤外線放射物質としてトルマリンが含まれることを特徴とする請求項３記載の起電性綿材料。
【発明の詳細な説明】
【技術分野】
【０００１】
本発明は、人の皮膚を覆うごとく装着されたときに該皮膚に弱い電圧若しくは電流が生じるようにした布状起電性材料、及び起電性綿材料に関する。
【背景技術】
【０００２】
従来、人の皮膚に直接若しくは間接的に接したときに該皮膚に弱い電圧若しくは電流が生じるようにした布状の起電性材料としては、イオン化傾向の大きい金属を持つ第１の繊維部分とイオン化傾向の小さい金属を持つ第２の繊維部分とを接して若しくは所定間隔をあけて設けたものが知られている（下記特許文献１参照）。係る起電性材料においては、第１及び第２の繊維部分に起電力が生じるため、それが皮膚に直接又は間接的に触れたときには、皮膚を通って両繊維部分の間に電圧若しくは電流を生じさせることができ、その結果、例えば起電性材料が装着された個所（肩、首、手足など）の血行を良くしたり、疲れや痛みを和らげたりするといった生体調節効果が得られる。
【特許文献１】登録実用新案第３０６６１１２号公報
【発明の開示】
【発明が解決しようとする課題】
【０００３】
しかしながら、上記の起電性材料においては、それにより直接的に与えることができる生体刺激が、主として皮膚に微弱電流を生じさせることのみであることから、それによって得ることができる前述した生体調節効果にも自ずと限界があった。
【０００４】
本発明は、かかる従来の課題に鑑みてなされたものであり、より効果的な生体刺激性能を備えた布状起電性材料、及び起電性綿材料を提供することを目的とする。
【課題を解決するための手段】
【０００５】
前記課題を解決するため本発明にあっては、イオン化傾向の大きい物質を含む第１の機能領域と、イオン化傾向の小さい物質を含む第２の機能領域とが、所定の間隔をあけて設けられた布状の起電性材料において、遠赤外線を放射する機能と、電気刺激により励磁される性質とを備えた遠赤外線放射物質を含む第３の機能領域を、前記第１の機能領域と前記第２の機能領域とを連結するよう設けたものとした。ここで、布状とは、各種繊維により構成される布、及び任意の方法により形成されたシート、フィルム等を含む所定面積の表面及び裏面を備えた状態をいう。
【０００６】
かかる構成においては、人の皮膚に直接若しくは間接的に接したとき、皮膚を介して第１の機能領域と第２の機能領域との間に弱い電流が生じ、その電流によって第３の機能領域に含まれる遠赤外線放射物質が励起される。したがって、外部から人為的なエネルギーを特別に供給することなく、第３の機能領域が単独で存在するとき以上の遠赤外線を遠赤外線放射物質から放射させることができる。
【０００７】
また、前記第３の機能領域には、前記遠赤外線放射物質としてトルマリンが含まれるものとした。係る構成によれば、励起された遠赤外線放射物質から、遠赤外線と同時にマイナスイオンを効率よく発生させることができる。
【０００８】
また、他の発明にあっては、身体に弱い電圧若しくは電流を生じさせる綿材料からなる起電性綿材料であって、使用に際して身体に接する側の表面に、イオン化傾向の大きい物質を含む第１の機能領域と、イオン化傾向の小さい物質を含む第２の機能領域とが所定の間隔をあけて設けられ、かつ前記第１の機能領域と前記第２の機能領域とを連結するように、遠赤外線を放射する機能と、電気刺激により励磁される性質とを備えた遠赤外線放射物質を含む第３の機能領域が設けられたものとした。
【０００９】
かかる構成においても、人の皮膚に直接若しくは間接的に接したとき、皮膚を介して第１の機能領域と第２の機能領域との間に弱い電流が生じ、その電流によって第３の機能領域に含まれる遠赤外線放射物質が励起される。したがって、外部から人為的なエネルギーを特別に供給することなく、第３の機能領域が単独で存在するとき以上の遠赤外線を遠赤外線放射物質から放射させることができる。
【００１０】
また、前記第３の機能領域には、前記遠赤外線放射物質としてトルマリンが含まれるものとした。係る構成によれば、励起された遠赤外線放射物質から、遠赤外線と同時にマイナスイオンを効率よく発生させることができる。
【発明の効果】
【００１１】
以上のように、本発明の布状起電性材料によれば、人の皮膚に直接若しくは間接的に接したとき、外部から人為的なエネルギーを特別に供給することなく、第３の機能領域が単独で存在するとき以上の遠赤外線を遠赤外線放射物質から放射させることができるようにした。よって、より効果的な生体刺激性能を確保することが可能となり、その結果、従来を上回る生体調節効果を得ることが可能となる。
【００１２】
さらに、赤外線放射物質としてはトルマリンを使用すれば、それから発生するマイナスイオンにより、より一層効果的な生体刺激を確保することができ、従来をさらに上回る生体調節効果を得ることができる。
【００１３】
また、本発明の起電性綿材料においても、上記布状起電性材料と同様、より効果的な生体刺激性能を確保することが可能となり、その結果、従来を上回る生体調節効果を得ることが可能となる。さらに、赤外線放射物質としてはトルマリンを使用すれば、それから発生するマイナスイオンにより、より一層効果的な生体刺激を確保することができる。
【発明を実施するための最良の形態】
【００１４】
以下、本発明の好ましい実施の形態を図にしたがって説明する。
（第１の実施の形態）
図１は、本発明に係る布状起電性材料１を示す模式図である。布状起電性材料１は、例えば綿、羊毛等の天然繊維や、各種の合成繊維、それらの混紡繊維の布地２に、イオン化傾向の大きい物質を含む帯状の第１の機能領域３と、イオン化傾向の小さい物質を含む帯状の第２の機能領域４とを所定の間隔をあけて平行に設けるとともに、第１及び第２の機能領域３，４の間に、双方を連結するよう遠赤外線放射物質を含む第３の機能領域５を設けたものである。
【００１５】
第１及び第２の機能領域３，４の形成方法は任意であり、先に背景技術として説明した従来の起電性材料と同様に、例えば布地２に各々の物質の粉体を印刷若しくは接着することにより形成したり、又は該物質をイオン結合した繊維で形成したものである。さらに、各々の物質を含有する組成物を塗膜形成してもよい。また、第１及び第２の機能領域３，４に含ませる各々の物質についても、上記従来の起電性材料と同様であり、両者間にイオン化傾向の差があるものであれば任意に選択可能であって、金、白金、銀、銅、亜鉛、錫、アルミニウム、ニッケル、ナトリウム、カリウム等の金属元素、そのイオン及び化合物、ステンレス等の合金、水素の中から選択する。第１及び第２の機能領域３，４を構成するイオンを含む繊維としては、金、白金、銀、銅、亜鉛、錫、アルミニウム、ナトリウム、カリウム、水素（例えばカルボキシル基）等のイオンをイオン結合により持つ繊維である。これらの繊維の布地２への固定は布地２への織りこみ、又は布地２との縫い合わせ若しくは接着等任意の方法が採用できる。
【００１６】
さらに、第１及び第２の機能領域３，４を構成する繊維としては、繊維表面に均一に上記各々の物質を含有するナノオーダーのバインダー被膜を形成したもの等が使用することができ、係るの繊維についても布地２への固定は、布地２への織りこみ、又は布地２との縫い合わせ若しくは接着等任意の方法が採用できる。
【００１７】
また、一例としては、第１の機能領域３に含ませるイオン化傾向の大きい物質をアルミニウムとし、第１の機能領域３を、アルミニウムを各種の方法により含有させた繊維、又は紡糸時に添加した繊維を布地２に織り込むことにより形成するとともに、第２の機能領域４に含ませるイオン化傾向の小さい物質をゲルマニウムとし、第２の機能領域４を、ゲルマニウムを各種の方法により含有させた繊維、又は紡糸時に添加した繊維を布地２に織り込むことにより形成することができる。
【００１８】
第１の機能領域３と第２の機能領域４との間隔は、双方に含まれる物質間のイオン化傾向の差によって起電力を生じさせることが可能な間隔であればよく、上記従来の起電性材料と同様に５ｍｍ乃至３０ｃｍ、更に好ましくは８ｍｍ乃至１０ｃｍ程度確保すればよい。
【００１９】
一方、第３の機能領域５の形成方法についても任意であり、例えば所定の遠赤外線放射物質の粉体を印刷若しくは接着して形成したり、該物質を含有する組成物を塗膜形成してたり、該物質を練りこんだ繊維や、該物質を物質を含有するナノオーダーのバインダー被膜をその表面に均一に形成した繊維を布地２に織り込むことにより形成したものである。第３の機能領域５に含ませる遠赤外線放射物質としては、遠赤外線を放射する性質と、電気刺激により励磁される性質とを有するものであればよく、例えばトルマリン、ルビー、エメラルド、ガーネット、アメジストといった宝石や輝石等の非金属鉱物、セラミック（例えば珪酸塩を主要成分とするもの）を１又は２以上組み合わせたものが使用できる。
【００２０】
そして、以上の布状起電性材料１においては、それを人の皮膚に直接又は間接的に接触させることにより、従来の布状起電性材料と同様、皮膚を介して第１の機能領域３と第２の機能領域４との間に弱い電流が生じさせることができる。しかも、その電流によって第３の機能領域５に含まれる遠赤外線放射物質が励起されることにより、外部から人為的なエネルギーを特別に供給することなく、第３の機能領域５が単独で存在するとき以上の遠赤外線を、そこに含まれている遠赤外線放射物質から放射させることができる。よって、生体刺激として微弱電流を生じさせると同時に、遠赤外線による温熱効果といった効果的な生体刺激を与えることができ、従来を上回る生体調節効果、すなわち肩、首、手足などの血行を良くしたり、疲れや痛みを和らげたりすることができるといった効果を得ることができる。
【００２１】
また、第３の機能領域５に含ませる遠赤外線放射物質をトルマリンとした場合には、それから遠赤外線を放射させるだけでなく、上述した電流によって励起することにより、通常の状態では発生しないマイナスイオンを発生させることができるため、より一層効果的な生体刺激を与えることができ、従来をさらに上回る生体調節効果を得ることができる。
【００２２】
また、上記布状起電性材料１は、人の皮膚に直接又は間接的に接触する下着、腹巻き、サポーター、ソックス、タイツ、パジャマ、シャツ、手袋等の衣料品や、シーツ、枕カバー等の寝具の全部又は１部に採用することができる。また、その際、第１乃至第３の機能領域３，４，５の面積や形状は必要に応じて決定すればよく、また、例えば図示した模様を繰り返すことにより、それらを衣料や寝具の柄とすることができる。
【００２３】
また、以上の説明においては、前記布状起電性材料１が、前述した様に所定の物質を含有、接着、コーティングした各種繊維からなる布材料や、所定の物質を既存の布材料に印刷、接着、コーティングした布材料である場合について説明したが、これに限らず、本発明における布状起電性材料は、各種の印刷技術や膜成形技術等を用い任意の方法によって形成されるシート材料、フィルム材料とすることができる。
【００２４】
（第２の実施の形態）
次に、本発明の第２の実施の形態について説明する。図２は、本発明に係る起電性綿材料１０１を示す模式図である。起電性綿材料１０１は、例えば綿、羊毛等の天然繊維や、各種の合成繊維からなる任意の綿材料からなる一般部１０２の表面側に、イオン化傾向の大きい物質を含む繊維からなる第１の綿材料１０３と、それよりもイオン化傾向の小さい物質を含む繊維からなる第２の綿材料１０４との双方を、互いに平行する状態で所定の間隔をあけて帯状に埋め込み、かつ第１及び第２の綿材料１０３，１０４の間に、双方を連結するように、遠赤外線放射物質を含む第３の綿材料からなる第３の綿材料１０５を埋め込んだものである。
【００２５】
そして、起電性綿材料１０１の表面には、第１の綿材料１０３と、第２の綿材料１０４、第３の綿材料１０５とによって、第１の実施の形態で説明した布状起電性材料１と同様、第１の機能領域３及び第２の機能領域４と、双方を連結する第３の機能領域５とが形成されている。
【００２６】
前記第１の綿材料１０３は、イオン化傾向の大きい物質を任意の方法により含有させた天然繊維や合成繊維により生成されたものであり、また、前記第２の綿材料１０４は、イオン化傾向の小さい物質を任意の方法により含有させた天然繊維や合成繊維により生成されたものである。また、前記第３の綿材料１０５は、遠赤外線を放射する機能と、電気刺激により励磁される性質とを備えた遠赤外線放射物質を任意の方法により含有させた天然繊維や合成繊維により生成されたものである。
【００２７】
なお、上記第１の綿材料１０３、第２の綿材料１０４、第３の綿材料１０５の原材料となる繊維と、それらに含有させる各物質、及びそれらを含有させる方法については、前述した布状起電性材料１において第１の機能領域３〜第３の機能領域５を形成する繊維と、それらに含有させる各物質、及びそれらを含有させる方法と同一であるため説明を省略する。
【００２８】
したがって、本実施の形態の起電性綿材料１０１においても、例えばそれを衣類や布団、座布団等の中綿として使用することにより、前述した布状起電性材料１と同様、皮膚を介して第１の機能領域３と第２の機能領域４との間に弱い電流が生じさせることができる。しかも、その電流によって第３の機能領域５に含まれる遠赤外線放射物質が励起されることにより、外部から人為的なエネルギーを特別に供給することなく、第３の機能領域５が単独で存在するとき以上の遠赤外線を、そこに含まれている遠赤外線放射物質から放射させることができる。よって、生体刺激として微弱電流を生じさせると同時に、遠赤外線による温熱効果といった効果的な生体刺激を与えることができ、従来を上回る生体調節効果、すなわち肩、首、手足などの血行を良くしたり、疲れや痛みを和らげたりすることができるといった効果を得ることができる。
【００２９】
また、第３の綿材料１０５に含ませる、すなわち第３の綿材料１０５の原材料となる繊維に含有させる遠赤外線放射物質をトルマリンとした場合には、それから遠赤外線を放射させるだけでなく、上述した電流によって励起することにより、通常の状態では発生しないマイナスイオンを発生させることができるため、より一層効果的な生体刺激を与えることができ、従来をさらに上回る生体調節効果を得ることができる。
【００３０】
なお、本実施の形態においては、互いに異なる物質が含有する繊維によって生成された第１の綿材料１０３、第２の綿材料１０４、第３の綿材料１０５を一般部１０２の表面側に埋め込むことにより、その表面に、第１の機能領域３と、第２の機能領域４、第３の機能領域５とを設けるようにしたが、各機能領域３〜５は以下のようにして設けるようにしてもよい。例えば一般部１０２を形成する綿材料の表面に、前述した各々の物質の粉体を印刷若しくは接着することにより形成したり、各々の物質を含有する組成物を塗膜形成したり、各々の物質を含有するナノオーダーのバインダー被膜を形成したりすることによって設けるようにしてもよい。
【００３１】
また、これ以外の第１の機能領域３と第２の機能領域４との間隔等については、前述した布状起電性材料１と同様である。
【図面の簡単な説明】
【００３２】
【図１】本発明に係る布状起電性材料を示す模式図である。
【図２】本発明に係る起電性綿材料を示す模式図である。
【符号の説明】
【００３３】
１    布状起電性材料
２    布地
３    第１の機能領域
４    第２の機能領域
５    第３の機能領域
１０１    起電性綿材料
１０２    一般部
１０３    第１の綿材料
１０４    第２の綿材料
１０５    第３の綿材料
【図１】
2006055546.tif 000003
【図２】
2006055546.tif 000004